(57)【特許請求の範囲】
【請求項１】
エントランス等に設置され、居住者を呼び出すと共にエントランス周辺を撮像するカメラを備えた集合玄関機と、各住戸に設置されて前記集合玄関機からの呼び出しに応答するための居室親機と、管理室に設置されて前記居住者又は来訪者と通話するための管理室親機と、前記集合玄関機、前記居室親機、前記管理室親機間をそれぞれ制御する制御装置とを備えた集合住宅インターホンシステムにおいて、前記制御装置は、来訪者が前記集合玄関機の操作部を用いて前記居室親機を呼び出したとき前記集合玄関機のカメラで撮像した映像から人物の顔を認識する顔認識部と、前記操作部で入力した部屋番号情報とともに前記顔認識部で認識した顔情報を記憶する呼出情報記憶部と、新たに前記操作部を用いて居室親機を呼び出した際に、前記呼出情報記憶部に記憶された顔情報と新たに呼出操作をおこなった人物の顔情報とを比較し、同一人物なのか否かを判断する顔情報比較部と、前記顔情報比較部で比較した結果一致し、且つ、前記呼出情報記憶部に記憶されている部屋番号情報が異なっていた場合には、前記集合玄関機、前記居室親機、前記管理室親機の内、少なくとも一つで警報するための制御をおこなう制御装置ＣＰＵを備えたことを特徴とする集合住宅インターホンシステム。
【請求項２】
前記制御装置ＣＰＵは、新たに前記操作部を用いて居室親機を呼び出した際に、前記呼出情報記憶部に記憶された顔情報と新たに呼出操作をおこなった人物の顔情報とを比較し、同一人物なのか否かを判断する顔情報比較部と、前記顔情報比較部で比較した結果一致し、且つ、前記呼出情報記憶部に記憶されている部屋番号情報が異なっていた場合には、前記居室親機又は管理室親機の表示部に来訪者の画像とともに、来訪者は続けて他の居室への呼び出し行為を行っていることを警告するメッセージを合わせて表示する制御をおこなうことを特徴とする請求項１記載の集合住宅インターホンシステム。
【請求項３】
前記制御装置ＣＰＵは、新たに前記操作部を用いて居室親機を呼び出した際に、前記呼出情報記憶部に記憶された顔情報と新たに呼出操作をおこなった人物の顔情報とを比較し、同一人物なのか否かを判断する顔情報比較部と、前記顔情報比較部で比較した結果一致し、且つ、前記呼出情報記憶部に記憶されている部屋番号情報が異なっていることが一定時間内に所定回数継続した場合には、前記集合玄関機から警報するための制御をおこなうことを特徴とする請求項１又は請求項２記載の集合住宅インターホンシステム。
【請求項４】
前記呼出情報記憶部は、呼び出された居室親機が応答したか否かを記憶する応答情報を合わせて記憶し、
前記制御装置ＣＰＵは、新たに前記操作部を用いて居室親機を呼び出した際に、前記呼出情報記憶部に記憶された顔情報と新たに呼出操作をおこなった人物の顔情報とを比較し、同一人物なのか否かを判断する顔情報比較部と、前記顔情報比較部で比較した結果一致し、且つ、前記呼出情報記憶部に記憶されている部屋番号情報が異なっていた場合には、当該呼出情報記憶部に記憶された応答情報を参照し、応答していない居室を特定して、警戒信号を送信する制御をおこなうことを特徴とする請求項１乃至請求項３何れか１項記載の集合住宅インターホンシステム。
【請求項５】
前記居室親機の居室親機ＣＰＵは、前記警戒信号を受信したとき、不正なドアの開閉等の異常事態を検出して警報発報するための警戒設定状態に移行させる制御をおこなうことを特徴とする請求項４記載の集合住宅インターホンシステム。
【発明の詳細な説明】
【技術分野】
【０００１】
本発明は集合住宅インターホンシステムに係り、特に、集合玄関機によって在・不在を確認し空き巣等をおこなうとする不審者を容易に判別することができる集合住宅インターホンシステムに関する。
【背景技術】
【０００２】
従来の集合住宅インターホンシステムは、エントランスに設置された集合玄関機を用いて、所望の居室（居室親機）を呼び出して、通話をおこなうことができる。これにより、わざわざ、居室前まで行くことなく居住者の在・不在を確認することができる。また、エントランスにはオートドアを設けることで、不審者を容易に集合住宅内に入れるのを防止することができていた。
また、空き巣等をおこなうために集合玄関機から居住者の在・不在を確認するために各居室を順次呼び出す行為を防止するため、呼び出し回数を制限するために貨幣を用いるシステムも提案されている（例えば、特許文献１）。
【先行技術文献】
【特許文献】
【０００３】
【特許文献１】特開平２００３−３２４５３９号公報
【発明の開示】
【発明が解決しようとする課題】
【０００４】
しかしながら、従来例の集合住宅インターホンシステムにおいて、集合玄関機によって異なる居室を呼び出し、居住者の在・不在を確認し、不在の居室を判別して空き巣行為を行おうとする来訪者に対して貨幣を用いる場合、貨幣を準備していれば何回でも呼び出すことが可能となり対策としては不十分であった。また、集合住宅インターホンシステムに貨幣を入れるための手段を講じなければならず、システム構成が複雑化し、コストの増大に繋がってしまう虞があった。
【０００５】
本発明は、上記難点を解決するためになされたものであって、顔認識や部屋番号情報を用いて、所定時間に異なる居室を呼出操作している訪問者を不審者と判断することができ、警告メッセージを発生させることで、空き巣犯罪等の不審者の侵入を未然に防ぎ、システムの犯罪への利用を阻止することができる集合住宅インターホンシステムを提供することを目的とする。
【課題を解決するための手段】
【０００６】
上記課題を解決するために、請求項１に記載の発明は、エントランス等に設置され、居住者を呼び出すと共にエントランス周辺を撮像するカメラを備えた集合玄関機と、各住戸に設置されて集合玄関機からの呼び出しに応答するための居室親機と、管理室に設置されて居住者又は来訪者と通話するための管理室親機と、集合玄関機、居室親機、管理室親機間をそれぞれ制御する制御装置とを備えた集合住宅インターホンシステムにおいて、制御装置は、来訪者が集合玄関機の操作部を用いて居室親機を呼び出したとき集合玄関機のカメラで撮像した映像から人物の顔を認識する顔認識部と、操作部で入力した部屋番号情報とともに顔認識部で認識した顔情報を記憶する呼出情報記憶部と、新たに操作部を用いて居室親機を呼び出した際に、呼出情報記憶部に記憶された顔情報と新たに呼出操作をおこなった人物の顔情報とを比較し、同一人物なのか否かを判断する顔情報比較部と、顔情報比較部で比較した結果一致し、且つ、呼出情報記憶部に記憶されている部屋番号情報が異なっていた場合には、集合玄関機、居室親機、管理室親機の内、少なくとも一つで警報するための制御をおこなう制御装置ＣＰＵを備えたことを特徴とする。
【０００７】
請求項２に記載の発明は、請求項１記載の集合住宅インターホンシステムにおいて、制御装置ＣＰＵは、新たに操作部を用いて居室親機を呼び出した際に、呼出情報記憶部に記憶された顔情報と新たに呼出操作をおこなった人物の顔情報とを比較し、同一人物なのか否かを判断する顔情報比較部と、顔情報比較部で比較した結果一致し、且つ、呼出情報記憶部に記憶されている部屋番号情報が異なっていた場合には、居室親機又は管理室親機の表示部に来訪者の画像とともに、来訪者は続けて他の居室への呼び出し行為を行っていることを警告するメッセージを合わせて表示する制御をおこなうことを特徴とする。
【０００８】
請求項３に記載の発明は、請求項１又は請求項２記載の集合住宅インターホンシステムにおいて、制御装置ＣＰＵは、新たに操作部を用いて居室親機を呼び出した際に、呼出情報記憶部に記憶された顔情報と新たに呼出操作をおこなった人物の顔情報とを比較し、同一人物なのか否かを判断する顔情報比較部と、顔情報比較部で比較した結果一致し、且つ、呼出情報記憶部に記憶されている部屋番号情報が異なっていることが一定時間内に所定回数継続した場合には、集合玄関機から警報するための制御をおこなうことを特徴とする。
【０００９】
請求項４に記載の発明は、請求項１乃至請求項３何れかの集合住宅インターホンシステムにおいて、呼出情報記憶部は、呼び出された居室親機が応答したか否かを記憶する応答情報を合わせて記憶し、制御装置ＣＰＵは、新たに操作部を用いて居室親機を呼び出した際に、呼出情報記憶部に記憶された顔情報と新たに呼出操作をおこなった人物の顔情報とを比較し、同一人物なのか否かを判断する顔情報比較部と、顔情報比較部で比較した結果一致し、且つ、呼出情報記憶部に記憶されている部屋番号情報が異なっていた場合には、当該呼出情報記憶部に記憶された応答情報を参照し、応答していない居室を特定して、警戒信号を送信する制御をおこなうことを特徴とする。
【００１０】
請求項５に記載の発明は、請求項４の集合住宅インターホンシステムにおいて、居室親機の居室親機ＣＰＵは、警戒信号を受信したとき、不正なドアの開閉等の異常事態を検出して警報発報するための警戒設定状態に移行させる制御をおこなうことを特徴とする。
【発明の効果】
【００１１】
請求項１の発明によれば、同一人物が異なる居室親機を呼び出している場合、不審者と判断して各端末（集合玄関機、居室親機、管理室親機）のうち少なくとも一つで警報をおこなうことで注意を喚起することができる。
請求項２の発明によれば、不審者の呼出操作時に居室親機又は、管理室親機において来訪者映像とともに不審者の可能性があることを合わせて表示することができるので、居住者、管理人は事前に対応に注意することができる。
請求項３の発明によれば、一定時間内に何度も呼出をおこなっている来訪者自身に、不審者と判断される可能性があることを認識させることができる。
請求項４の発明によれば、不審者からの呼び出しに対して応答していない居室を特定することができるとともに、当該居室に対して警戒するように呼びかけをおこなうことができる。
請求項５の発明によれば、自動的に警戒設定状態に移行させることができるので、在・不在に関わらず、警戒することができ、不審者が不正なドアの開閉等をおこなっても、それを検出することが可能となる。
【図面の簡単な説明】
【００１２】
【図１】本発明に係る実施形態である集合住宅インターホンシステムのブロック図である。
【図２】本発明に係る実施形態である集合住宅インターホンシステムの居室親機表示部を説明図である。
【発明を実施するための形態】
【００１３】
以下、本発明による集合住宅インターホンシステムを適用した好ましい形態の実施例について、図を参照して説明する。
【００１４】
図１は、本発明に係る集合住宅インターホンシステムの一例を示す構成図であり、１はエントランス等に設置されて居住者を呼び出すための集合玄関機、２は管理室に設置されて居住者等と通話をするための管理室親機、４は各住戸に設置されて集合玄関機１等からの呼び出しに応答するための居室親機、３は集合玄関機１、居室親機４、管理室親機２をそれぞれ制御する制御装置である。集合玄関機１は玄関機伝送線L1を介して制御装置３に接続され、管理室親機２は管親伝送線L2を介して制御装置３に接続され、居室親機４は親機幹線L3により制御装置３に接続されている。
【００１５】
集合玄関機１は、来訪者が居住者を呼び出すために部屋番号の入力や呼出操作を行うための操作部１０、操作の結果などを表示する表示部１１、来訪者やエントランスを撮像するためのカメラ１２、管理室親機２や呼出先の居室親機４と通話するためのマイク１３およびスピーカ１４、図示しないオートドアの電気錠を解錠/施錠する電気錠制御部７、制御装置３と通信を行うための通信回路８、制御装置３との間で音声信号を送受信し映像信号を送信するための音声映像回路９、集合玄関機１の各回路を制御する集合玄関機ＣＰＵ６を備えている。管理室親機２は、各種操作を行うための操作部１８、操作の結果などを表示する表示部１９、集合玄関機１や居室親機４と通話するためのマイク２０及びスピーカ２１、制御装置３と通信を行うための通信回路１６、制御装置３との間で音声信号および映像信号を送受信するための音声映像回路１７、管理室親機２の各回路を制御する管理室親機ＣＰＵ１５を備えている。
【００１６】
居室親機４は、集合玄関機１や管理室親機２と通話するためのマイク３３およびスピーカ３４、集合玄関機１や管理室親機２からの呼び出しへの応答を行うための操作部３５、集合玄関機１のカメラ１２で撮像された映像を表示するための表示部３６、制御装置３との通信を行うための通信回路３７、制御装置３との間で音声信号および映像信号を送受信するための音声映像回路３８、居室親機４の各回路を制御する居室親機ＣＰＵ３２を備えている。
【００１７】
制御装置５は、居室親機４と通信を行うための第１通信回路２４、集合玄関機１と通信を行うための第２通信回路２８、管理室親機２と通信を行うための第３通信回路３０、居室親機４との間で音声信号および映像信号を送受信するための第１音声映像回路２３、集合玄関機１との間で音声信号および映像信号を送受信するための第２音声映像回路２９、管理室親機２との間で音声信号および映像信号を送受信するための第３音声映像回路３１、来訪者が集合玄関機１の操作部１０を用いて居室親機４を呼び出したとき集合玄関機１のカメラ１２で撮像した映像から人物の顔の特徴を認識する顔認識部２５と、操作部１０で入力した部屋番号情報、居住者が集合玄関機１からの呼出に対し応答したのか否かの情報と共に顔認識部２５で認識した顔情報を記憶する呼出情報記憶部２６と、新たに集合玄関機１の操作部１０を用いて居室親機４を呼び出した際に、呼出情報記憶部２６に記憶された顔情報と新たに呼出操作をおこなった人物の顔情報とを比較し、同一人物なのか否かを判断する顔情報比較部２７と、顔情報比較部２７で比較した結果、一致し、且つ呼出情報記憶部２６に記憶されている部屋番号情報が異なっていた場合には、集合玄関機１、管理室親機２、居室親機４の内、少なくとも一つで警報するための制御をおこなう制御装置ＣＰＵ２２と、を備えている。
【００１８】
次に、上記の如く構成された集合住宅インターホンシステムの動作について説明する。来訪者は集合玄関機１の操作部１０を操作して居住者を呼び出すために部屋番号を入力し呼出ボタンを操作すると、部屋番号情報が付加された呼出信号が集合玄関機ＣＰＵ６で生成されて通信回路８を介して制御装置３に送信される。制御装置３では第２通信回路２８を介して制御装置ＣＰＵ２２にて受信され、これにより当該制御装置ＣＰＵは、集合玄関機１のカメラ１２を駆動させるための制御をおこなう。集合玄関機１では、カメラ１２を駆動させてエントランスにいる来訪者を撮像する。撮像された映像は集合玄関機ＣＰＵ６、音声映像回路９を介して制御装置３に送信され、制御装置３では、第２音声映像回路２９を介して制御装置ＣＰＵ２２にて受信される。
【００１９】
このとき制御装置ＣＰＵ２２は、顔認識部２５を制御して来訪者の顔の特徴を抽出する。また、呼出情報記憶部２６に記憶された前回の呼出情報として記憶された顔情報と、当該顔認識部で認識された顔情報とを顔情報比較部２７で比較する。不一致であれば、通常の呼び出しとなり、呼出信号が第１通信回路２４を介して居室親機４に送信され、居室親機４では通信回路３７を介して居室親機ＣＰＵ３２にて受信され、スピーカ３４から呼出音が報音されると共に、制御装置ＣＰＵ２２、第１音声映像回路２３、居室親機４の音声映像回路３８を介して受信した来訪者の映像を表示部３６で表示する。これを確認した居住者は居室親機４の操作部３５を操作して通話モードに移行し、集合玄関機１のマイク１３及びスピーカ１４と居室親機４のマイク３３及びスピーカ３４間で通話が成立する。なお、通話成立（制御装置３における通話路形成制御）については従来と同様のため詳述しない。
【００２０】
上記顔情報比較部２７で比較された結果、一致した場合、次に呼出情報記憶部２６に合わせて記憶されている部屋番号情報と、呼出信号に付加された部屋番号情報を比較する。一致すれば、上記同様に通常の呼び出しとして認識される。一方、不一致だった場合には、制御装置ＣＰＵ２２は、一人の来訪者が複数の異なる居室親機４を呼び出しているとして判断する。
【００２１】
この場合、制御装置ＣＰＵ２２は、上記同様に呼出信号及び来訪者の映像を送信するとともに不審者の可能性があることを知らせるための警報信号を送信する。当該警報信号は、呼出信号と同様の経路を介して居室親機４で受信される。居室親機ＣＰＵ３２は、スピーカ３４からの呼出信号の報音及び表示部３６での来訪者映像表示とともに、表示部３６に「来訪者は他の居室への呼出もおこなっています」といった旨の情報も付加して表示させる（図２参照）。
【００２２】
これにより、居住者は、居住者は面識の無い人であれば不審者の可能性もあるとして対応策を講じることが可能となる。なお、上記実施例では、居室親機４に対して警報しているが、管理室親機２であっても同様に警報をおこなうことができる。その場合には、スピーカ２１又は表示部１９を用いて警報を報知することとなる。
【００２３】
これらの呼出情報は、呼出情報記憶部２６に順次記憶されていくこととなる。次に、集合玄関機１への注意喚起として、制御装置３の制御装置ＣＰＵ２２は、顔情報が一致し、更に部屋番号情報が異なる呼び出しであった場合に、その呼出回数をカウントする。当該呼出回数が所定回数以上であった場合には、集合玄関機１に対して注意喚起をおこなう。具体的には、制御装置ＣＰＵ２２は、注意喚起信号を生成して呼出信号と逆の経路で集合玄関機１に送信し、集合玄関機ＣＰＵ６にて受信することにより、集合玄関機ＣＰＵ６のスピーカ１４から“複数回、異なる住戸を呼び出しています。セールスや不審者と判断される可能性がありますので直ちに呼び出し操作を終了してください。”といったメッセージを報知させる制御をおこなうことができる。これにより、来訪者に対して異なる居室への連続呼出に対して注意喚起をおこなうことができる。
【００２４】
また、制御装置ＣＰＵ２２は、集合玄関機１の表示部１１で注意喚起を促すテロップ等を表示させる制御をおこない、表示部１１で表示させた場合についても上記同様の効果を奏する。さらに、制御装置ＣＰＵ２２は、集合玄関機１からの呼び出しに対して、居室親機４が応答したか否かの検出をおこない、その情報を呼出情報記憶部２６の呼出情報に付加して記憶させることができる。これにより、制御装置ＣＰＵ２２が不審者と判断した場合、過去に不審者から呼び出しを受けた居室親機４を呼出情報記憶部２６の呼出情報から特定して、特定した居室親機４に警戒信号を送信する制御をおこなうことができる。当該警戒信号は、呼出信号と同様の経路を介して居室親機４へ送信され、居室親機ＣＰＵ３２の制御により、スピーカ３４及び表示部３６から警戒するように注意喚起をおこなうことができる。さらに、ドアを不正に開閉するなどを検出すると警報発報をおこなう警戒設定状態に自動的に移行させる制御をおこなうこともできる。
【００２５】
これにより、居住者に注意喚起を促すことができるし、在・不在に関わらず警戒することができ、不審者が不正なドアの開閉等をおこなっても、それを検出することが可能となる。
なお、上記実施例において、呼出情報記憶部２６に記憶された呼出情報と比較する場合、直前の呼出情報と比較しているが、過去数回分（過去数日分）の情報と比較するようにしてもよい。これにより、少し時間を置いてから呼び出しをおこなうような悪質な手口であっても対応することが可能となる。
【符号の説明】
【００２６】
１・・・      集合玄関機
２・・・      管理室親機
３・・・      制御装置
２２・・・  制御装置ＣＰＵ
２５・・・  呼出情報記憶部
２６・・・  顔認識部
２７・・・  顔情報比較部
４・・・      居室親機
【図１】
0005364654.tif 000002
【図２】
0005364654.tif 000003